(57)【要約】【課題】所定の腕動作の有無を正確に判定することができ、電力消費量を低減することができるリストバンド型腕動作判定装置を提供する。【解決手段】実施形態の活動量計１は、互いに直交する２軸以上の方向の加速度を検出することができる加速度センサ１１と、操作ボタン３の操作が検出されると、所定の時間内に、加速度センサ１１の出力に基づいて、所定の動きがあったか否かを判定する腕動き判定部５１と、腕動き判定部５１において、所定の動きがあったことが判定されると、ランプ４を光らせると共に、所定の動きに対応する対応情報と、所定の動きがあったことが検出されたときの時刻情報を無線で送信する送信処理部を有する。【選択図】図２
2015133072.tif 000002
【特許請求の範囲】
【請求項１】
互いに直交する２軸以上の方向の加速度を検出することができる加速度センサと、
操作されると所定の信号を出力する操作部と、
前記所定の信号の有無を検出する検出処理部と、
前記検出処理部において前記所定の信号があったことが検出されると、所定の時間内に、前記加速度センサの出力に基づいて、所定の動きがあったか否かを判定する判定部と、
前記判定部において、前記所定の動きがあったことが判定されると、所定の出力をする出力部と、
前記判定部において、前記所定の動きがあったことが判定されると、前記所定の動きに対応する対応情報と、前記所定の動きがあったことが検出されたときの時刻情報を無線で送信する送信処理部と、
前記対応情報と前記時刻情報を記憶部に記録する記録処理部と、
を有するリストバンド型腕動作判定装置。
【請求項２】
互いに直交する２軸以上の方向の加速度を検出することができる加速度センサと、
前記加速度センサの出力信号でない、所定の信号の有無を検出する検出処理部と、
前記検出処理部において前記所定の信号があったことが検出されると、所定の時間内に、前記加速度センサの出力に基づいて、前記所定の動きがあったか否かを判定する判定部と、
前記判定部において、前記所定の動きがあったことが判定されると、前記所定の動きに対応する対応情報と、前記所定の動きがあったことが検出されたときの時刻情報を無線で送信する送信処理部と、
を有するリストバンド型腕動作判定装置。
【請求項３】
前記対応情報と前記時刻情報を記憶部に記録する記録処理部を有し、
前記送信処理部は、所定の時間間隔あるいは所定の時刻に、前記記憶部に記録された前記対応情報と前記時刻情報を送信する請求項２に記載のリストバンド型腕動作判定装置。
【請求項４】
前記送信処理部は、前記判定部が前記所定の動きがあったと判定すると、前記対応情報と前記時刻情報を直ちに送信する請求項２に記載のリストバンド型腕動作判定装置。
【請求項５】
前記所定の動きは、複数あり、
前記判定部は、前記加速度センサの出力に基づいて、前記複数の所定の動きの中のいずれの動きかを判定し、
前記送信処理部は、前記判定部において判定された動きが第１の動きであるときは、前記対応情報と前記時刻情報を直ちに送信し、前記判定部において判定された動きが前記第１の動き以外の動きであるときは、前記対応情報と前記時刻情報を、所定の時間間隔あるいは所定の時刻に送信する請求項２に記載のリストバンド型腕動作判定装置。
【請求項６】
前記検出処理部は、スイッチの信号を、前記所定の信号として検出する請求項２から５のいずれか１つに記載のリストバンド型腕動作判定装置。
【請求項７】
前記検出処理部は、物理量を検出するセンサの出力信号を、前記所定の信号として検出する請求項２から６のいずれか１つに記載のリストバンド型腕動作判定装置。
【請求項８】
前記判定部は、予め登録された前記所定の動きを示す前記加速度センサの波形パターンと、前記加速度センサの出力の波形パターンとが一致するか否かを比較することによって、前記所定の動きがあったか否かを判定することを特徴とする請求項２から７のいずれか１つに記載のリストバンド型腕動作判定装置。
【請求項９】
前記判定部において、前記所定の動きがあったことが判定されると、所定の出力をする出力部を有することを特徴とする請求項２から８のいずれか１つに記載のリストバンド型腕動作判定装置。
【請求項１０】
前記センサは、温度センサあるいは二酸化炭素センサである請求項８に記載のリストバンド型腕動作判定装置。
【発明の詳細な説明】
【技術分野】
【０００１】
本発明の実施形態は、リストバンド型腕動作判定装置に関する。
【背景技術】
【０００２】
従来より、人の歩数をカウントする歩数計が広く普及しており、最近は、人の活動量を計測する活動量計も販売されている。また、近年は、心電図データなどの生体データ、人の行動等を記録する機器も提案されている。
【０００３】
これらの機器の中には、例えば、人の腕やベルトに装着されて、人の動きを加速度センサで検出し、人の所定の動きの有無の判定を、加速度センサの出力値に基づいて行うものがある。
【０００４】
しかし、従来の歩数計などや、これらの提案の機器は、加速度センサの出力を常に監視して、所定の動きがあるか否かの判定処理を行っており、ユーザの意図しない時の動きが、所定の動きであると誤判定される可能性は、低くなかった。
【０００５】
また、加速度センサの出力に基づいて、所定の動きがあるか否かの判定処理を行うため、中央処理装置（CPU）等の電子回路を用いた機器の電力消費量が多くなるという問題がある。
【先行技術文献】
【特許文献】
【０００６】
【特許文献１】特開２０１１−１０３０８７号公報
【特許文献２】特許第４３７９２１４号公報
【特許文献３】特許第３５７０１６３号公報
【特許文献４】特許第４７０５３５８号公報
【発明の概要】
【発明が解決しようとする課題】
【０００７】
そこで、実施形態は、所定の腕動作の有無を正確に判定することができ、電力消費量を低減することができるリストバンド型腕動作判定装置を提供することを目的とする。
【課題を解決するための手段】
【０００８】
実施形態によれば、互いに直交する２軸以上の方向の加速度を検出することができる加速度センサと、前記加速度センサの出力信号でない、所定の信号の有無を検出する検出処理部と、前記検出処理部において前記所定の信号があったことが検出されると、所定の時間内に、前記加速度センサの出力に基づいて、前記所定の動きがあったか否かを判定する判定部と、前記判定部において、前記所定の動きがあったことが判定されると、前記所定の動きに対応する対応情報と、前記所定の動きがあったことが検出されたときの時刻情報を無線で送信する送信処理部と、を有するリストバンド型腕動作判定装置が提供される。
【図面の簡単な説明】
【０００９】
【図１】本実施形態に関わるリストバンド型活動量計の外観図である。
【図２】本実施形態に関わる、リストハンド型活動量計とスマートフォンからなる行動記録システムの構成図である。
【図３】本実施形態の活動量計１の構成を示すブロック図である。
【図４】本実施形態に関わる、重力検出部１５の詳細な回路構成を説明するためのブロック図である。
【図５】本実施形態に関わる、バンドパスフィルタ４１ａのフィルタ特性を示す図である。
【図６】本実施形態に関わる、重力加速度の方向と加速度センサ１１のＸ軸方向とがなす角度の変化について説明するための図である。
【図７】本実施形態に関わる、歩行中の加速度センサ１１及び重力検出部１５の出力の例を説明するための図である。
【図８】本実施形態に関わる、体操中の加速度センサ１１及び重力検出部１５の出力の例を説明するための図である。
【図９】本実施形態に関わる、屈伸運動中の加速度センサ１１、重力検出部１５及び加速度エネルギー検出部１４の出力の例を説明するための図である。
【図１０】本実施形態に関わる、テニスの素振り中の加速度センサ１１、重力検出部１５及び加速度エネルギー検出部１４の出力の例を説明するための図である。
【図１１】本実施形態に関わる、腕Lに所定の動きがあったときの加速度センサ１１の各出力の例を説明するための図である。
【図１２】本実施形態に関わる、腕に所定の動きがあったときの加速度センサ１１の各出力の他の例を説明するための図である。
【図１３】本実施形態に関わる、時刻記録送信処理の流れの例を示すフローチャートである。
【図１４】本実施形態に関わる、メモリ３３に記録されるイベント情報と時刻情報の例を示す図である。
【発明を実施するための形態】
【００１０】
以下、図面を参照して実施形態を説明する。
（構成）
図１は、本実施形態に係わるリストバンド型活動量計１の外観図である。図２は、リストハンド型活動量計とスマートフォンからなる行動記録システム１００の構成図である。
【００１１】
リストバンド型活動量計（以下、活動量計という）１は、ユーザの行動情報を記録し、スマートフォン２へ送信することができる機器である。  
活動量計１は、ユーザの腕（点線で示す）Lに巻かれて装着するために帯状のリストバンド型であり、中央部には細長い形状の操作ボタン３が設けられている。操作ボタン３に隣接して、発光ダイオード（以下、LEDという）のランプ４が配設されている。さらに、ランプ４に隣接してスピーカ５も配設されている。
【００１２】
操作ボタン３は、後述するように、ユーザが、食事、服用などの所定の行動をする前あるいは後に、操作される。操作ボタン３は、スイッチ３ａ（図３参照）を内部に有する。後述するように、操作ボタン３が押されると、スイッチ３ａがオンとなり、そのオンの時から所定時間が経過するまでの間における腕の動作が、所定の動きであるか否かの判定が行われる。よって、操作ボタン３は、ユーザが、腕動作判定指示を入力するための入力装置であり、操作されると所定の信号を出力する操作部である。
【００１３】
発光素子であるLEDを有するランプ４は、上述した腕の動作が所定の動きであると判定されたときに、点灯して、ユーザに知らせるための告知部である。  
スピーカ５は、所定の音あるいは音声を出力するための音出力部である。
【００１４】
活動量計１は、操作ボタン３などが配設された中央部の両側から延出する２本のバンド６ａと６ｂを有する。バンド６ａの端部には、止め具７が設けられており、バンド６ｂには、止め具７の突起部（図示せず）が嵌入するための複数の孔８が所定の間隔で形成されている。ユーザは、止め具７に形成された突起部（図示せず）を、任意の位置の孔８に嵌め込むことにより、活動量計１を腕Lに装着することができる。
【００１５】
なお、本実施形態の活動量計１は、２本のバンド６ａと６ｂと、操作ボタン３等が設けられた中央部とは、ゴム部材などが一体成形されたものであるが、操作ボタン３等が設けられる本体部と、本体部の両側に接続された２本のバンドとからなる、本体部とバンド部が別体の構成であってもよい。
【００１６】
操作ボタン３、ランプ４及びスピーカ５は、活動量計１をユーザの腕Lに装着したとき、腕Lに密着する活動量計１の裏側面とは反対側の表側にくるように、活動量計１に配置されている。  
図２に示す行動記録システム１００は、活動量計１を利用した行動記録システムである。
【００１７】
後述するように、活動量計１は、無線通信機能を有し、歩数情報、推定された行動情報、及びイベント情報をスマートフォン２に送信することができる。ユーザは、活動量計１からの歩数情報などのデータを、スマートフォン２に送信し、スマートフォン２のメモリに記憶させ、スマートフォン２が有するアプリケーションプログラムにより管理したり、スマートフォン２の表示部２ａ上に表示させることができる。
【００１８】
図３は、本実施形態の活動量計１の構成を示すブロック図である。  
活動量計１は、操作ボタン３、ランプ４、スピーカ５、加速度センサ１１、加速度検出部１２、歩数カウンタ１３、加速度エネルギー検出部１４、重力検出部１５、及び制御部１６を含んで構成されている。例えば、操作ボタン３とランプ４とスピーカ５と加速度センサ１１以外の構成要素、具体的には、加速度検出部１２、歩数カウンタ１３、加速度エネルギー検出部１４、重力検出部１５及び制御部１６は、半導体集積回路として、１チップの半導体装置内に形成される。
【００１９】
活動量計１は、歩数計の機能、活動量計測の機能、及び後述するイベントの時刻の記録及び送信の機能を有する。  
なお、図１では、活動量計１の電源をオン・オフするためのオン・オフボタン、カウント値をリセットするためのリセットボタンなどは省略しており、それらのボタンからの操作信号OPが、制御部１６に入力される。
【００２０】
加速度センサ１１は、互いに直交する３軸（Ｘ軸、Ｙ軸、Ｚ軸）方向の加速度をそれぞれ検出することができるように、３つのセンサを有し、Ｘ軸出力、Ｙ軸出力及びＺ軸出力を、各軸について加速度信号として出力する３軸加速度センサである。加速度センサ１１の各出力は、加速度検出部１２、重力検出部１５及び後述する腕動き判定部５１に入力される。
【００２１】
図１に示すように、活動量計１がユーザの腕Lに装着されたときに、Ｘ軸方向が、手Hの甲の面と平行で、かつ腕Lの軸に対して直交する方向となり、Ｙ軸方向が、手Hの甲の面と平行で、かつ腕Lの軸と平行な方向となり、Ｚ軸方向が、手Hの甲の面に直交する方向となるように、ユーザは、活動量計１を腕Lに装着することができる。図１では、腕Lは、紙面の手前から裏側に向かうように、活動量計１の円環状のバンド６ａと６ｂに通されている。
【００２２】
加速度検出部１２は、二乗和平方根算出部１２ａと、ハイパスフィルタ（HPF）１２ｂとを含む。  
二乗和平方根算出部１２ａは、加速度センサ１１の各出力の二乗和の平方根の信号を生成する回路である。ここでは、複数方向（ここでは３つの方向）の加速度を用いているので、各出力の二乗和の平方根の信号を生成する二乗和平方根算出部１２ａを用いているが、二乗和平方根算出部１２ａに代えて、二乗和の信号を生成する二乗和算出回路を用いてもよい。
【００２３】
ハイパスフィルタ１２ｂは、二乗和平方根算出部１２ａの出力から重力加速度を除去するためのオフセットキャンセラー回路である。  
なお、ここでは、加速度センサ１１は、３軸加速度センサであるが、２以上の方向の加速度を検出するセンサであればよく、２軸以上の加速度センサでもよい。  
よって、加速度検出部１２は、互いに直交する２軸以上の方向の加速度を検出することができる加速度センサ１１の出力から加速度を検出し、加速度信号を出力する。
加速度検出部１２から出力される加速度信号は、歩数カウンタ（CNT）１３及び加速度エネルギー検出部１４に入力される。
【００２４】
歩数カウンタ１３は、加速度検出部１２から出力される加速度信号に基づいて、歩数をカウントするカウンタである。歩数カウンタ１３は、所定の閾値以上の入力があると、１つインクリメントするカウンタである。歩数カウンタ１３は、所定時間（例えば５秒間）における、加速度信号に基づいた歩数をカウントし、そのカウントした値を保持する。  
加速度エネルギー検出部１４は、絶対値回路２１と、ローパスフィルタ２２とを含む。
【００２５】
加速度エネルギー検出部１４に入力された加速度信号は、絶対値回路２１に入力される。絶対値回路２１は、入力された加速度信号の絶対値を算出し、ローパスフィルタ２２に出力する。
【００２６】
ローパスフィルタ２２は、絶対値回路２１の出力を平均化して加速度の強度を検出し、制御部１６の行動判定・推定部３１に出力する。このように、加速度エネルギー検出部１４は、加速度検出部１２からの加速度信号から加速度の強度を検出する加速度強度検出部を構成する。  
重力検出部１５は、重力方向に対して加速度センサ１１の各軸方向の変化を検出し、検出結果（後述する判定信号）を行動判定・推定部３１に出力する。
【００２７】
図４は、重力検出部１５の詳細な回路構成を説明するためのブロック図である。図４に示すように、重力検出部１５は、３つのバンドパスフィルタ４１ａ，４１ｂ，４１ｃ、３つの絶対値回路４２ａ，４２ｂ，４２ｃ、合算回路４３、及び、ローパスフィルタ４４を含んで構成されている。
【００２８】
図５は、バンドパスフィルタ４１ａのフィルタ特性を示す図である。図５において、横軸は、周波数で、縦軸は、出力信号の出力を示す。なお、バンドパスフィルタ４１ｂ及び４１ｃのフィルタ特性もバンドパスフィルタ４１ａのフィルタ特性と同じである。
【００２９】
一般には、歩行時の腕振りの周波数は１Hz程度であり、走行時の腕振りの周波数は、歩行時の２倍以上程度となる。これに対して、歩行以外の行動、例えば、体操、食事などでは、加速度センサ１１の各軸方向が比較的ゆっくり、かつ、大きく変化する。
【００３０】
図５に示すように、バンドパスフィルタ４１ａ〜４１ｃは、それぞれ０．２Hzから０．８Hzの周波数成分を透過するフィルタである。図５に示すフィルタ特性を有するバンドパスフィルタ４１ａ〜４１ｃを用いることにより、重力方向に対して加速度センサ１１の各軸方向がゆっくり、かつ、大きく変化した場合にのみ、その変化に応じた信号がバンドパスフィルタ４１ａ〜４１ｃから出力される。このように、重力検出部１５は、所定の周波数領域を透過するバンドパスフィルタ４１ａ〜４１ｃにより、重力方向に対する加速度センサ１１の各軸方向の変化を検出する方向変化検出部を構成する。より具体的には、方向変化検出部である重力検出部１５は、重力加速度方向と加速度センサ１１の各軸方向とがなす角度の変化を検出する。つまり、加速度センサ１１は常に重力の影響を受けているため、重力加速度方向と各軸方向の角度変化により、加速度センサ１１の値も軸毎に変化する。
【００３１】
図６は、重力加速度の方向と加速度センサ１１のＸ軸方向とがなす角度の変化について説明するための図である。  
加速度センサ１１が図６（ａ）に示す向きの場合、重力加速度の方向と加速度センサ１１のＸ軸方向とがなす角度はα１となる。ユーザの行動により、加速度センサ１１が図６（ｂ）に示す向きに変化した場合、重力加速度の方向と加速度センサ１１のＸ軸方向とがなす角度はα２となる。重力加速度の方向と加速度センサ１１のＸ軸方向とがなす角度が、α１からα２の変化するとき、加速度センサ１１のＸ軸出力の値も変化する。重力検出部１５は、バンドパスフィルタ４１ａにより、重力加速度方向と加速度センサ１１のＸ軸方向とがなす角度の変化（動き）の成分を透過させ、この動きを検出する。加速度センサ１１のＹ軸方向及びＺ軸方向についても同様に検出し、重力加速度方向と加速度センサ１１の各軸方向とがなす角度の変化を検出する。
【００３２】
バンドパスフィルタ４１ａ〜４１ｃの出力は、それぞれ絶対値回路４２ａ〜４２ｃに入力される。絶対値回路４２ａ〜４２ｃは、それぞれバンドパスフィルタ４１ａ〜４１ｃの出力の絶対値を算出し、合算回路４３に出力する。
【００３３】
合算回路４３は、絶対値回路４２ａ〜４２ｃの出力を合算し、ローパスフィルタ４４に出力する。ローパスフィルタ４４は、合算回路４３の出力を平均化して判定信号を生成する。この判定信号は、制御部１６の行動判定・推定部３１に出力される。
【００３４】
制御部１６は、図３に示すように、行動判定・推定部３１と、カウンタ部３２と、メモリ３３と、イベント情報記録送信部３４と、無線送信部３５とを含む。制御部１６は、中央処理装置（CPU）、ROM、RAMを含み、行動判定・推定部３１及びイベント情報記録送信部３４の機能の一部を、ソフトウエアにより実現している。
【００３５】
行動判定・推定部３１は、重力検出部１５からの判定信号を所定の閾値と比較することで、現在の行動が歩行または走行（以下特に断りが無い場合歩行と走行は区別せず歩行という）であるのか、歩行以外であるのかを判定する。また、行動判定・推定部３１は、時刻情報を受信できるように、後述する時計部５３に接続されている。
【００３６】
図７は、歩行中の加速度センサ１１及び重力検出部１５の出力の例を説明するための図であり、図８は、体操中の加速度センサ１１及び重力検出部１５の出力の例を説明するための図である。なお、図７（ａ）は、歩行中の加速度センサ１１の出力を示し、図７（ｂ）は、歩行中の重力検出部１５の出力を示す。同様に、図８（ａ）は、体操中の加速度センサ１１の出力を示し、図８（ｂ）は、体操中の重力検出部１５の出力を示す。
【００３７】
また、図７（ａ）及び（ｂ）において、約１２０秒から４６０秒までの間が歩行中の出力を示しており、図８（ａ）及び（ｂ）において、約１００秒から２３０秒までの間が体操中の出力を示している。
【００３８】
図７（ｂ）に示すように、歩行中では重力検出部１５の出力、より具体的には、ローパスフィルタ４４の出力は小さく、ほとんどない。これに対し、図８（ｂ）に示すように、歩行以外の行動、ここでは、体操中では重力検出部１５の出力、より具体的には、ローパスフィルタ４４の出力は、大きくなる。行動判定・推定部３１は、このような重力検出部１５からの出力の違いに基づいて、現在の行動が歩行か歩行以外かを判定する。
【００３９】
行動判定・推定部３１は、重力検出部１５の出力に基づいて、現在の行動が歩行と判定した場合、歩数カウンタ１３のカウント値を、カウンタ部３２の歩行時カウンタ３２ａに加算する。  
具体的には、行動判定・推定部３１は、所定の周期（例えば５秒）で、重力検出部１５の出力に基づいて、歩行か歩行以外の行動かを判定し、歩行と判定したときは、直前の所定の周期（例えば５秒）期間の歩数カウンタ１３のカウント値を、歩行時カウンタ３２ａのカウント値に加算する。
【００４０】
なお、歩行時カウンタ３２ａは、それぞれリセットボタン（図示せず）などが押されて、リセット信号の操作信号OPが生成されると、歩数を０（ゼロ）にするようにカウント値が０（ゼロ）に設定される。  
また、歩行時カウンタ３２ａのカウント値は、一定時間毎にメモリ３３に記録される。
【００４１】
以上のように、カウンタ部３２は、歩行時カウンタ３２ａを含み、歩行時カウンタ３２ａには、ユーザが歩いているときの歩数がカウントアップされていく。  
一方、行動判定・推定部３１は、重力検出部１５からの判定信号を所定の閾値と比較することで、現在の行動が歩行以外と判定した場合、加速度エネルギー検出部１４からの加速度の強度に基づいて、歩行以外の行動の種類を推定する。
【００４２】
図９は、屈伸運動中の加速度センサ１１、重力検出部１５及び加速度エネルギー検出部１４の出力の例を説明するための図であり、図１０は、テニスの素振り中の加速度センサ１１、重力検出部１５及び加速度エネルギー検出部１４の出力の例を説明するための図である。なお、図９（ａ）は、屈伸運動中の加速度センサ１１の出力を示し、図９（ｂ）は、屈伸運動中の重力検出部１５の出力を示し、図９（ｃ）は、屈伸運動中の加速度エネルギー検出部１４の出力を示す。同様に、図１０（ａ）は、テニスの素振り中の加速度センサ１１の出力を示し、図１０（ｂ）は、テニスの素振り中の重力検出部１５の出力を示し、図１０（ｃ）は、テニスの素振り中の加速度エネルギー検出部１４の出力を示す。
【００４３】
また、図９（ａ）、（ｂ）及び（ｃ）において、約１００秒から１８０秒までの間が屈伸運動中の出力を示しており、図１０（ａ）、（ｂ）及び（ｃ）において、約１００秒から２６０秒までの間がテニスの素振り中の出力を示している。
【００４４】
行動判定・推定部３１は、図９（ｂ）及び図１０（ｂ）に示す重力検出部１５の出力から歩行以外の行動を判定し、図９（ｃ）及び図１０（ｃ）に示す加速度エネルギー検出部１４の出力から歩行以外の行動（屈伸運動及びテニスの素振り）を推定する。
【００４５】
なお、屈伸運動やテニスの素振り以外の行動についても同様に、加速度エネルギー検出部１４の出力から推定することができる。また、行動判定・推定部３１は、加速度エネルギー検出部１４の出力を所定の閾値と比較することで、例えば、運動強度を小、中、大と分け、運動強度小、中、大のいずれかである行動と推定し、それぞれの運動強度に応じた消費カロリー（消費エネルギー）を求めるようにしてもよい。  
そして、行動判定・推定部３１は、この推定結果をメモリ３３に記憶する。このように、メモリ３３は、行動判定・推定部３１が推定した推定結果を記憶する記憶部を構成する。
【００４６】
また、無線送信部３５は、ブルートゥース BlueTooth（登録商標）、WiFiなどの無線通信のための回路である。行動判定・推定部３１からの送信指示に応じて、メモリ３３に記憶された推定結果情報は、スマートフォン２へ送信される。なお、無線送信部３５は、後述するように、イベント情報記録送信部３４からの指示に応じて、記録された行動情報と時刻情報も、スマートフォン２へ送信する。
【００４７】
このように、行動判定・推定部３１は、現在の行動が歩行以外と判定した場合、加速度エネルギー検出部１４からの加速度の強度に基づいて行動推定を行うことで、歩行以外の行動の種類をより正確に推定することができる。
【００４８】
次に、イベント情報記録送信部３４について説明する。イベント情報記録送信部３４は、腕動き判定部５１と、記録部５２と、時計部５３と、タイマ５４とを含む。  
時計部５３は、時刻情報を生成する回路であり、腕動き判定部５１は、時計部５３の時刻情報を参照することができる。時刻情報は、年月日と時刻の情報を含む。
【００４９】
タイマ５４は、所定の時間が経過したか否かを計時する回路であり、腕動き判定部５１からのタイマオン指令によって、計時を開始し、所定の時間が経過すると、タイムアウトする。所定の時間は、例えば２秒である。タイマ５４は、オンしてからタイムアウトするまでの間、タイムアウトしたか否かを示す信号を出力する。よって、腕動き判定部５１は、タイマ５４の出力状態を参照することにより、タイムアウトしたか否かを判定することができる。
【００５０】
腕動き判定部５１には、操作ボタン３のスイッチ３ａの信号と、加速度センサ１１の各出力とが入力される。腕動き判定部５１は、操作ボタン３が押されると、加速度センサ１１の各出力に基づいて、腕Lの動きに所定の動きがあったか否かを判定する。すなわち、腕動き判定部５１は、操作ボタン３が操作されて操作ボタン３から所定の信号があったことが検出されると、所定の時間内に、加速度センサ１１の出力に基づいて、所定の動きがあったか否かを判定する判定部を構成する。  
所定の動きは、複数あり、各動きの判定のためのデータは、参照データとして予め、腕動き判定部５１の書き換え可能な不揮発性メモリである記憶部５１ａに登録されている。
【００５１】
腕動き判定部５１は、所定の動きがあったと判定したときは、記録部５２に対して、判定した所定の動きに関する情報（以下、所定の動き情報という）を供給する。記録部５２は、所定の動き情報を受信すると、時刻情報を時計部５３から読み出させて、所定の動き情報に対応するイベント情報と、読み出した時刻情報を、メモリ３３に記録させるコマンド信号を出力する。腕動き判定部５１から記録部５２に供給される所定の動き情報は、所定の動きの名称（例えば、食事、服用、排泄など）でもよいし、各動きについて予め決められたコード情報（例えば、番号）などでもよい。
【００５２】
図１１は、腕Lに所定の動きがあったときの加速度センサ１１の各出力の例を説明するための図である。図１１は、腕の所定の動きM1として、図１において２点鎖線RMで示すように、手Hの手首を、腕Lの軸周りに、素早く２回、回動させたときの加速度センサ１１の各出力を示す。
【００５３】
操作ボタン３を押した後、所定の時間内（例えば２秒以内）に、手Hを素早く２回回動させると、図１１に示すように、Ｙ軸出力は、大きく変化しないが、Ｘ軸出力とＺ軸出力が、５０msec近辺で大きく変化する。
【００５４】
図１２は、腕に所定の動きがあったときの加速度センサ１１の各出力の他の例を説明するための図である。図１２は、腕の所定の動きM2として、手Hに、１回だけ素早く叩くような動作（タップ動作）をさせたときの加速度センサ１１の各出力を示す。
【００５５】
操作ボタン３を押した後、所定の時間内（例えば２秒以内）に、手Hを２回だけ素早く叩くような動作をさせると、図１２に示すように、Ｘ軸出力、Ｙ軸出力及びＺ軸出力の各出力は、５０msec近辺で大きく変化する。
【００５６】
図１１及び図１２に示す２つの所定の動きM1とM2のそれぞれについてのＸ軸出力、Ｙ軸出力及びＺ軸出力の波形パターンの情報が、パターン認識用の参照パターンとして、腕動き判定部５１内の記憶部５１ａに予め登録されている。腕動き判定部５１は、加速度センサ１１のＸ軸出力、Ｙ軸出力及びＺ軸出力の各波形パターンが、登録された各波形パターンと一致するか否かを、パターンマッチング処理により判定することによって、腕Lが所定の動きをしたか否かを判定する。そして、腕動き判定部５１は、判定された所定の動きを示す所定の動き情報を、記録部５２に出力する。
【００５７】
よって、波形のパターンマッチング処理により、加速度センサ１１のＸ軸出力、Ｙ軸出力及びＺ軸出力の各波形パターンが、図１１と図１２に示す波形パターンと一致するか否かを判定することにより、腕Lに所定の動きM1あるいはM2があったか否かの判定を行うことができる。
【００５８】
ここでは、所定の動きとして、２つの例を示したが、腕の所定の動きは、以上の２つの動きM1とM2以外の腕の動きのデータも、参照データとして、記憶部５１ａに予め記録されている。
【００５９】
そして、記録部５２は、腕動き判定部５１からの所定の動き情報を受信すると、その所定の動き情報に対応するイベント情報と、所定の動き情報を受信したときの時刻情報と、をメモリ３３の所定の記憶領域、ここでは所定のテーブルTBLに記録する。記録部５２は、時計部５３からの時刻情報に基づいて、時刻情報を生成する。
【００６０】
よって、ユーザは、自己が行うあるいは行った食事等の行動に対応する腕の動きを行うと、その行動を１つのイベントとして、そのイベント情報と、その腕の動きがあったときの時刻情報を、活動量計１に記録させることができる。
【００６１】
例えば、ユーザが、「食事」と「服用」の２つの行動の時刻記録をしたいときは、食事の前あるいは後に、操作ボタン３を押してから所定の時間内に、所定の動きM1を行うと、活動量計１では、「食事」のイベント情報と、その時刻情報とが関連付けられて、メモリ３３のテーブルTBLに記録される。そして、食後に薬を服用したときは、服用の前あるいは後に、操作ボタン３を押してから所定の時間内に、所定の動きM2を行うと、活動量計１では、「服用」のイベント情報と、その時刻情報とが関連付けられて、メモリ３３のテーブルTBLに記録される。
（作用）
（行動判定・推定）
活動量計１は、通常は、電源がオンになっていると、歩数の計測と、図７〜図１０で示した行動の推定処理を実行している。
【００６２】
ユーザが、活動量計１を腕部に装着して行動すると、加速度センサ１１で検出された各軸の出力値が加速度検出部１２及び重力検出部１５に入力される。加速度センサ１１で検出された各軸の出力値は、加速度検出部１２に入力され、加速度信号が検出される。加速度検出部１２により検出された加速度信号は、加速度エネルギー検出部１４に入力され、加速度の強度が検出される。この加速度の強度は、行動判定・推定部３１に入力される。
【００６３】
また、加速度センサ１１で検出された各軸の出力値は、重力検出部１５のバンドパスフィルタ４１ａ〜４１ｃに入力される。０．２Hzから０．８Hzの周波数成分を透過するバンドパスフィルタ４１ａ〜４１ｃにより、歩行時の周波数成分が除去され、重力方向に対して加速度センサ１１の各軸方向がゆっくり、かつ、大きく変化した場合にのみ、その変化に応じた信号が出力される。
【００６４】
バンドパスフィルタ４１ａ〜４１の出力は、それぞれ絶対値回路４２ａ〜４２ｃにより絶対値が算出される。そして、絶対値回路４２ａ〜４２ｃの出力は、合算回路４３で合算された後、ローパスフィルタ４４で平均され、判定信号として行動判定・推定部３１に出力される。
【００６５】
ユーザが歩行以外の行動をしている場合、重力方向に対して加速度センサ１１の各軸方向がゆっくり変化する。バンドパスフィルタ４１ａ〜４１ｃは、重力方向に対して加速度センサ１１の各軸方向がゆっくり、かつ、大きく変化した場合にのみ、その変化に応じた信号を出力する。そのため、行動判定・推定部３１は、バンドパスフィルタ４１ａ〜４１ｃの出力から生成される判定信号を所定の閾値と比較することで、現在の行動が歩行か歩行以外かを判定することができる。
【００６６】
行動判定・推定部３１は、現在の行動が歩行以外と判定した場合、加速度エネルギー検出部１４からの加速度の強度に基づいて、歩行以外の行動の種類を推定する。  
行動判定・推定部３１は、歩行時カウンタ３２ａの値、すなわち歩数をメモリ３３に記憶する。さらに、行動判定・推定部３１は、ユーザの行動の推定結果をメモリ３３に記憶する。このとき、行動判定・推定部３１は、ユーザの行動の推定結果をメモリ３３に記憶する際に、現在の時刻とともに記憶する。ユーザの行動の推定結果と、時計部５３からの現在の時刻を示す時刻情報とを関連付けて記憶することで、活動量計１は、ユーザの１日の行動の推定結果を取得することができる。
【００６７】
このように、ユーザの１日の行動の推定結果を取得することで、活動量計１は、例えば、体操などの運動を何時間行ったかなどのユーザの１日の行動パターン、ライフスタイルを取得することができる。例えば生活習慣病などの患者の腕部に活動量計１を取り付け、患者の１日の行動パターンを取得することで、医師が患者に対して、生活環境、生活習慣の改善についての最適なアドバイスを行うことができる。
（イベント記録）
ユーザが、操作ボタン３を押すと、活動量計１は、イベント情報記録送信処理を実行する。
【００６８】
腕動き判定部５１は、操作ボタン３が押されたことを検知すると、図１３の処理を実行する。  
図１３は、イベント情報記録送信処理の流れの例を示すフローチャートである。
【００６９】
腕動き判定部５１は、まず、操作ボタン３が押されたか否かを判定する（S1）。S1の処理は、加速度センサ１１の出力信号でない、所定の信号の有無を検出する検出処理部である。ここでは、S1の検出処理は、スイッチ３ａの信号を、所定の信号として検出する。操作ボタン３が押されたことを検知しなければ（S1:NO）、処理は、何もしない。
【００７０】
操作ボタン３が押されたことを検知すると（S1:YES）、タイマ５４をオンにする（S2)。タイマ５４は、オンされると、所定の時間（例えば２秒）の計時を開始する。腕動き判定部５１は、タイマ５４をオンにした後、判定処理を実行する（S3)。
【００７１】
判定処理は、加速度センサ１１のX軸出力、Y軸出力及びZ軸出力の３つの出力を監視し、入力された３つの出力の波形が、記憶部５１ａに予め登録されている複数の波形パターンのいずれかと一致するか否かを判定する。一致の判定は、上述したように、X軸出力、Y軸出力及びZ軸出力の３つ波形データが、それぞれ、予め登録されている波形パターンのX軸出力、Y軸出力及びZ軸出力の３つ波形データと一致するか否かを比較して判定するパターンマッチング処理により行われる。
【００７２】
判定処理の結果において、加速度センサ１１のX軸出力、Y軸出力及びZ軸出力の３つ波形データが、それぞれ、予め登録されている波形パターンのいずれか１つのX軸出力、Y軸出力及びZ軸出力の３つ波形データと一致したと判定されると（S4:YES）、上述したように、腕動き判定部５１は、一致した３つの波形データに対応する所定の動き情報を、記録部５２に出力する。
【００７３】
以上のように、腕動き判定部５１は、操作ボタン３が操作されてから所定の時間内における腕の動作を判定するため、所定の腕動作の有無を正確に判定することができ、判定処理も、その所定の時間内だけ実行されるので、活動量計１の消費電力の低減を図ることができる。
【００７４】
所定の動き情報を受信した記録部５２は、記録処理を行う（S5)。  
記録部５２は、受信した所定の動き情報に対応する対応情報であるイベント情報と時刻情報とを関連付けて一対の情報として、メモリ３３に書き込む。ここでは、所定の動き情報に対応する対応情報は、イベントコード情報であり、メモリ３３のテーブルTBLに記録される。すなわち、S5の処理は、判定された所定の動きに対応する対応情報としてのイベント情報コードと時刻情報をメモリ３３に記録する記録処理部を構成する。
【００７５】
図１４は、メモリ３３に記録されるイベント情報と時刻情報の例を示す図である。イベント情報と時刻情報は、メモリ３３中のテーブルTBLに、イベント情報と時刻情報が関連付けられて記録される。図１４に示すように、２０１３年１２月１９日７時３０分に「食事」があったことを示す「１」というイベントコードが記録され、２０１３年１２月１９日８時１０分に「服用」があったことを示す「２」というイベントコードが記録されている。
【００７６】
判定処理の結果において、加速度センサ１１のX軸出力、Y軸出力及びZ軸出力の３つ波形データが、それぞれ、予め登録されている波形パターンのいずれか１つのX軸出力、Y軸出力及びZ軸出力の３つ波形データと一致しないと判定されると（S4:NO）、腕動き判定部５１は、タイマ５４がタイマオン時から所定の時間（例えば２秒）が経過してタイムアウトしたか否かを、タイマ５４の出力状態から判定する（S6）。タイマ５４がタイムアウトしていないとき（S6:NO)、処理は、S3に移行し、判定処理（S3)が実行される。タイマ５４がタイムアウトしたとき（S6:YES)、処理は、終了する。
【００７７】
記録処理が実行されると(S5)、腕動き判定部５１は、告知処理を実行する（S7)。告知処理は、ランプ４を、判定されたイベントに応じて光らせる処理である。ここでは、一致すると判定された予め登録された波形パターンに対応するイベントコードが「１」であるときは、ランプ４を１回光らせるように、腕動き判定部５１は、ランプ４の発光を制御する。また、一致すると判定された予め登録された波形パターンに対応するイベントコードが「２」であるときは、ランプ４を２回光らせるように、腕動き判定部５１は、ランプ４の発光を制御する。よって、S7の処理は、S3において、所定の動きがあったことが判定されると、ユーザに判定がされたことを告知するために、所定の出力をする出力部である。
【００７８】
なお、ここでは、ランプ４を、各イベント情報コードに応じた回数、光らせているが、いずれのイベント情報コードの場合も１回光らせるだけでもよい。  
よって、ユーザは、操作ボタン３を押した後、所定の時間内に腕Lに所定の動きをさせた後、ランプ４が発光するので、行った腕の所定の動きが、活動量計１に認識されたと知ることができる。逆に、ユーザが操作ボタン３を押した後、所定の時間内に腕Lに所定の動きをした後、ランプ４が発光しなければ、ユーザは、行った腕の所定の動きが、活動量計１に認識されていないことが分かる。
【００７９】
そして、腕動き判定部５１は、送信処理を行う(S8)。送信処理は、メモリ３３に記録されたイベント情報コードと時刻情報を、無線送信部３５から無線で送信する処理である。よって、S8の処理は、腕に所定の動きがあったことがS3の処理において判定されると、判定された所定の動きに対応する対応情報としてのイベントコードと、操作ボタン３が押されて所定の入力があったことが検出されときの時刻情報を無線で送信する送信処理部を構成する。すなわち、腕動き判定部５１は、S3において所定の動きがあったと判定されると、対応情報と時刻情報を無線送信部３５から直ちに送信する。
【００８０】
なお、送信処理では、緊急時あるいは特定の動き以外の動きのときは、イベントコードと時刻情報を直ちに送信しないようにしてもよい。すなわち、活動量計１は、緊急時あるいは特定の動き以外の動きのときは、イベントコードと時刻情報を直ぐに送信しないが、緊急時あるいは特定の腕の動きのときは、イベントコードと時刻情報は、リアルタイムで送信するようにしてもよい。
【００８１】
例えば、緊急時の腕の動きを予め登録しておき、ユーザが転倒して助けが必要な時のような緊急時、ユーザは、操作ボタン３を押して、緊急時に対応する所定の動き（上述した所定の動きM1,M2とは異なる動き）をすると、緊急時を意味するイベントのイベント情報コードと時刻情報は直ぐに送信される。
【００８２】
しかし、「食事」、「服用」等の緊急でないイベントの時は、腕動き判定部５１は、時計部５３の時刻情報を監視しており、所定の時刻、例えば夜中の１２時００分、になると、メモリ３３のTBLに記録されたイベントコードと時刻情報を、無線で送信する送信処理を実行する。すなわち、その送信処理では、無線送信部３５から、所定の時刻になるとメモリ３３に記録されたイベントコードと時刻情報とを、まとめて送信する。
【００８３】
さらになお、腕動き判定部５１は、時計部５３の時刻情報に基づいて、所定の時間、例えば３時間、が経過する度に、メモリ３３のTBLに記録された行動情報を、無線で送信するようにしてもよい。
【００８４】
すなわち、腕動き判定部５１は、所定の時刻にあるいは所定の時間間隔で、メモリ３３に記録された対応情報と時刻情報を、無線送信部３５から送信するようにしてもよい。その場合、S3では、加速度センサ１１の出力に基づいて、複数の所定の動きの中のいずれの動きかが判定される。腕動き判定部５１は、判定された動きが緊急時などに対応する動きであるときは、対応情報と時刻情報を直ちに送信し、判定された動きが緊急時などの動き以外の動きであるときは、対応情報と時刻情報を、所定の時刻にあるいは所定の時間間隔で送信する。
【００８５】
以上のように、上述した実施形態によれば、所定の腕動作の有無を正確に判定することができ、電力消費量を低減することができるリストバンド型腕動作判定装置を提供することができる。
【００８６】
特に、ユーザが意思も持って行う所定の操作（ここでは操作ボタン３を押すこと）があった後に、所定の時間内に、腕Lの所定の動きがあるか否かを判定するので、腕動き判定部５１における誤判定の確率も低くなる。
【００８７】
従来より、人は、自己の行動の記録を取るには、メモを取るなどしている。特に、行動を取ったときの記録は、時刻も併せて記録してメモしなければならず、繁雑な作業が必要であった。
【００８８】
また、人の計測データの定期的な測定及び記録管理が必要な場合もある。例えば、糖尿病患者は、定期的に血糖値を測定し、記録する必要がある。測定した血糖値が食前の値か、食後の値かを記録するために、データを記録するための手帳を持ち歩き、そのデータを記録しなければならなかった。
【００８９】
しかし、上述した実施形態の活動量計１を用い、食前の服用と食後の服用のそれぞれの行動に対応する腕の動きを予め登録しておくと、ユーザは、活動量計１あるいはスマートフォン２で、例えば血糖値などの測定したデータの食前と食後の対応を付けることもできる。すなわち、上述した実施形態の活動量計１を用いれば、食事前であるとき、及び食事後であるということをイベント情報として、そのときの時刻情報と共に、自動的に記録されて送信されるので、ユーザは、スマートフォン２でイベントあるいは行動の記録を見て確認することができる。  
さらに、上述した例では、操作ボタン３が１つしか設けられていないので、活動量計１が大型化しないというメリットがある。
【００９０】
なお、操作ボタン３の代わりに、センサを用いてもよい。図３において、点線で示すように、操作ボタン３の代わりに、センサ３Aを設け、そのセンサ３Aは検出部３Aaに接続される。検出部３Aaは、センサ３Aの出力信号が、所定の閾値を超えたか否かを判定し、出力信号が所定の閾値を超えると、検出信号を、腕動き判定部５１に出力する。すなわち、S1の検出処理は、物理量を検出するセンサの出力信号を、所定の信号として検出する。
【００９１】
この場合、センサ３Aは、温度センサ、二酸化炭素センサなどである。ユーザが、温度センサを触れると、検出部３Aaが温度センサの検出温度の変化を検出し、その検出信号は腕動き判定部５１に出力される。
【００９２】
また、告知手段として、ランプ４の光ではなく、スピーカ５から所定の音あるいは音声を出力させるようにしてもよい。さらにまた、告知手段として、振動を用いてもよい。例えば、図３において、点線で示すように、活動量計１に、告知手段としてのバイブレータ７を内蔵させ、振動により、ユーザに判定されてことを知らせるようにしてもよい。
【００９３】
また、図３において、点線で示すように、活動量計１に、液晶表示器のような表示部１７を設け、表示部１７に、歩数などの情報や、腕の動きが判定されたことを示す表示を行うようにしてもよい。腕の動きの判定の場合、例えば、「判定」の文字、あるいは行動の内容を示す文字、例えば「食事」、「服用」などの文字を表示するようにしてもよい。
【００９４】
さらに、上述した活動量計１は、リストバンド型であるので、腕時計に、図３に示す構成の活動量計１を組み込んで、腕時計の機能に、腕動作判定装置としての機能を持たせるようにしてもよい。
【００９５】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９６】
１  活動量計、２  スマートフォン、２ａ  表示部、３  操作ボタン、３A  センサ、３Aa  検出部、３ａ  スイッチ、４  ランプ、５  スピーカ、６ａ  バンド、６ｂ  バンド、７  バイブレータ、８  孔、１１  加速度センサ、１２  加速度検出部、１２ａ  二乗和平方根算出部、１２ｂ  ハイパスフィルタ、１３  歩数カウンタ、１４  加速度エネルギー検出部、１５  重力検出部、１６  制御部、１７  表示部、２１  絶対値回路、２２  ローパスフィルタ、３１  行動判定・推定部、３２  カウンタ部、３２ａ  歩行時カウンタ、３３  メモリ、３４  イベント情報記録送信部、３５  無線送信部、４１ａ，４１ｂ，４１ｃ  バンドパスフィルタ、４２ａ，４２ｂ，４２ｃ  絶対値回路、４３  合算回路、４４  ローパスフィルタ、５１  判定部、５１ａ  記憶部、５２  記録部、５３  時計部、５４  タイマ、１００  行動記録システム。
【図１】
2015133072.tif 000003
【図２】
2015133072.tif 000004
【図３】
2015133072.tif 000005
【図４】
2015133072.tif 000006
【図５】
2015133072.tif 000007
【図６】
2015133072.tif 000008
【図７】
2015133072.tif 000009
【図８】
2015133072.tif 000010
【図９】
2015133072.tif 000011
【図１０】
2015133072.tif 000012
【図１１】
2015133072.tif 000013
【図１２】
2015133072.tif 000014
【図１３】
2015133072.tif 000015
【図１４】
2015133072.tif 000016